(57)【要約】【課題】省スペース化を図ること。【解決手段】筐体１０と、筐体１０内に配置されたプリント基板３０上に設けられ、バッテリー２０に接続されるケーブル２４と、プリント基板３０上に設けられた振動源３４と、プリント基板３０上に設けられ、振動源３４をプリント基板３０に固定すると共に、ケーブル２４の少なくとも一部を覆うカバー４０と、を備える、携帯端末装置。【選択図】図８
2018077805.tif 000002
【特許請求の範囲】
【請求項１】
筐体と、
前記筐体内に配置された基板上に設けられ、電池に接続されるケーブルと、
前記基板上に設けられた振動源と、
前記基板上に設けられ、前記振動源を前記基板に固定すると共に、前記ケーブルの少なくとも一部を覆う固定具と、を備える、携帯端末装置。
【請求項２】
前記ケーブルは、前記電池に接続される一端側が他端側よりも前記基板の上方に位置するようにＵ字状に折り曲げられていて、
前記固定具は、前記ケーブルの折り曲げられた部分近傍を覆い、前記ケーブルの前記電池に接続される前記一端側近傍は覆わない、請求項１記載の携帯端末装置。
【請求項３】
前記ケーブルと前記振動源とは、前記ケーブルと前記振動源との間に前記固定具以外の他の部品が設けられることなく並んで配置されている、請求項１または２記載の携帯端末装置。
【請求項４】
前記固定具は、前記振動源が圧入された凹部と、前記ケーブルと前記振動源との間に位置する前記凹部の側壁から延在して前記ケーブルを覆う覆い部と、を有する請求項３記載の携帯端末装置。
【請求項５】
前記固定具は、前記ケーブルと前記振動源とが並んだ方向と交差する方向における前記振動源の両側のうちの少なくとも一方でネジによって前記基板に固定されている、請求項３または４記載の携帯端末装置。
【請求項６】
前記固定具は、前記基板上に実装された第１部品に対して第２部品が積層されて実装される実装部を有する、請求項１から５のいずれか一項記載の携帯端末装置。
【発明の詳細な説明】
【技術分野】
【０００１】
本発明は、携帯端末装置に関する。
【背景技術】
【０００２】
スマートフォンやタブレット型パソコンなどの携帯端末装置は小型化が進められているため、筐体内でケーブルを取り回せる空間が狭くなっている。ケーブルの取り回し方法として、例えばケーブルを折り曲げて２つのプレートによって押さえる技術が知られている（例えば、特許文献１）。
【先行技術文献】
【特許文献】
【０００３】
【特許文献１】特開２００７−８０９２９号公報
【発明の概要】
【発明が解決しようとする課題】
【０００４】
携帯端末装置の高性能化のために、高い電流供給力を持つ電池の採用が進められている。この場合、電池から部品に電流を供給するケーブルに太い径のケーブルが用いられるようになる。太い径のケーブルは剛性が高いことから、ケーブルを所定の位置に収納させるために、ケーブルの動きを抑制する部材を筐体にしっかりと固定することが望ましい。しかしながら、筐体内の空間は狭いため、ケーブルの動きを抑制する部材によって部品点数が増加することは、省スペース化の点から好ましくない。
【０００５】
１つの側面では、省スペース化を図ることを目的とする。
【課題を解決するための手段】
【０００６】
１つの形態によれば、筐体と、前記筐体内に配置された基板上に設けられ、電池に接続されるケーブルと、前記基板上に設けられた振動源と、前記基板上に設けられ、前記振動源を前記基板に固定すると共に、前記ケーブルの少なくとも一部を覆う固定具と、を備える、携帯端末装置である。
【発明の効果】
【０００７】
１つの側面として、省スペース化を図ることができる。
【図面の簡単な説明】
【０００８】
【図１】図１は、実施例に係る携帯端末装置の斜視図である。
【図２】図２は、フロントケースからリアケースを外した状態の分解斜視図である。
【図３】図３は、図２の一部を拡大した斜視図である。
【図４】図４は、ケーブルを説明するための斜視図である。
【図５】図５は、図３においてバッテリーを外した状態の斜視図である。
【図６】図６は、図１のＡ−Ａ間の断面図である。
【図７】図７は、プリント基板に搭載された部品を分解した分解斜視図である。
【図８】図８は、図５のＡ−Ａ間の断面図である。
【図９】図９は、図７で分解した部品が組み合わされた状態をＺ方向から見た図である。
【図１０】図１０（ａ）は、カバーの斜視図、図１０（ｂ）は、図１０（ａ）をＸ方向から見た図である。
【発明を実施するための形態】
【０００９】
以下、図面を参照して、本発明の実施例について説明する。
【実施例】
【００１０】
図１は、実施例に係る携帯端末装置１００の斜視図である。実施例に係る携帯端末装置１００は、例えばスマートフォンやタブレット型パソコンなどの、ユーザにより携帯された状態で利用される情報端末装置である。図１のように、実施例に係る携帯端末装置１００は、フロントケース１２とリアケース１４とが組み合わされた筐体１０を有する。フロントケース１２及びリアケース１４は、例えば樹脂材料などから形成されている。フロントケース１２には、前面にタッチパネルが組み付けられている。
【００１１】
図２は、フロントケース１２からリアケース１４を外した状態の分解斜視図である。図２のように、フロントケース１２内に、バッテリー２０と、プリント基板及び／又はＮＦＣ（Near Field Communication）用のアンテナなどの部品２２と、が搭載されている。バッテリー２０には、高い電流供給力を持つバッテリーが採用されている。このため、バッテリー２０は大型化していて、フロントケース１２の半分以上の面積を占めている。
【００１２】
図３は、図２の一部を拡大した斜視図である。図３のように、バッテリー２０は、爪などでバッテリーカバー１８に固定されてフロントケース１２内に搭載されている。バッテリー２０にケーブル２４が接続されている。ケーブル２４は、一端側にコネクタ２６を有し、コネクタ２６がバッテリー２０に差し込まれることで、バッテリー２０に接続されている。バッテリー２０に高い電流供給力を持つバッテリーが採用されていることから、大電流を流すために、ケーブル２４には太い径のケーブルが用いられている。したがって、ケーブル２４は、剛性が高く曲がり難いという性質を有する。
【００１３】
図４は、ケーブル２４を説明するための斜視図である。図４のように、フロントケース１２内にプリント基板３０が配置されている。プリント基板３０には、コネクタ３２や、例えばＣＰＵ（Central Processing Unit）などの電子部品が搭載されている。ケーブル２４は他端側にコネクタ２８を有し、コネクタ２８がプリント基板３０に設けられたコネクタ３２に差し込まれている。これにより、プリント基板３０に搭載された各電子部品は、ケーブル２４を介して、バッテリー２０から電力が供給される。
【００１４】
ケーブル２４の一端側のコネクタ２６及び他端側のコネクタ２８は共に、プリント基板３０の上面に平行な方向から、バッテリー２０及びコネクタ３２に差し込まれている。また、ケーブル２４の他端側のコネクタ２８は、一端側のコネクタ２６がバッテリー２０に差し込まれる方向と同じ方向からコネクタ３２に差し込まれている。このため、ケーブル２４は、一端側のコネクタ２６が他端側のコネクタ２８よりもプリント基板３０の上方に位置するようにＵ字状に折り曲げられている。このように、ケーブル２４をＵ字状に折り曲げるのは、ケーブル２４の余長を確保して、ケーブル２４の一端側のコネクタ２６をバッテリー２０から抜き差しし易くするためである。
【００１５】
ケーブル２４は剛性が高く曲がり難い性質を有することから、ケーブル２４を折り曲げると、ケーブル２４には元の状態（例えば直線に延びた状態）に戻ろうとする大きな力が生じる。このため、ケーブル２４は、プリント基板３０の上方に動こうとする。ケーブル２４がプリント基板３０の上方に動いてしまうと、リアケース１４をフロントケース１２に組み付ける際に、ケーブル２４が干渉して、組み付けが上手くできないことが起こり得る。このため、プリント基板３０の上方へのケーブル２４の動きを抑制することが望ましい。
【００１６】
図５は、図３においてバッテリー２０を外した状態の斜視図である。図５のように、プリント基板３０上に、ケーブル２４を跨いで覆うカバー４０が設けられている。カバー４０は、例えばＡＢＳ樹脂やポリカーボネートなどの合成樹脂などから形成されている。カバー４０は、例えばケーブル２４の折り曲げられた部分近傍を覆い、ケーブル２４の一端側近傍及び他端側近傍は覆っていない。なお、カバー４０は、ケーブル２４の少なくとも一部を覆っていればよく、ケーブル２４の全体を覆っていてもよい。カバー４０は、ネジ４２、ネジ４４、及びネジ４６（図５では不図示）によってプリント基板３０にしっかりと固定されている。このため、ケーブル２４の剛性が高い場合でも、ケーブル２４がプリント基板３０の上方に動くことを抑制できる。
【００１７】
図６は、図１のＡ−Ａ間の断面図である。図６のように、フロントケース１２の前面にタッチパネル６０を備えた表示デバイス６２が取り付けられている。タッチパネル６０は、例えばＬＣＤ（Liquid Crystal Display）を含み、画像や、各種情報、及びタッチ操作ボタンなどの操作入力用画像などを表示する。フロントケース１２内に配置されたプリント基板３０上に、ケーブル２４やバッテリー２０などが設けられている。ケーブル２４の一端側のコネクタ２６はバッテリー２０に差し込まれ、他端側のコネクタ２８はプリント基板３０に設けられたコネクタ３２に差し込まれている。
【００１８】
ケーブル２４のＵ字状に折り曲げられた折り曲げ部６４よりもケーブル２４とは反対側には空間６６が形成されている。空間６６が形成されることで、ケーブル２４の一端側のコネクタ２６がバッテリー２０に差し込まれている状態でバッテリー２０をバッテリーカバー１８から抜き差しした場合に、ケーブル２４の移動及び撓みの領域を確保できる。
【００１９】
ケーブル２４と、カバー４０のうちのケーブル２４を覆う部分と、の間には、空間６８が形成されていてもよいし、空間６８が形成されずにケーブル２４がカバー４０に当接していてもよい。ケーブル２４の移動及び撓みの領域の確保の点からは、空間６８が形成されることが好ましい。
【００２０】
フロントケース１２の外側にリアケース１４が嵌め込まれている。リアケース１４内の周囲には弾性部材からなるシール部材１６が設けられている。シール部材１６がフロントケース１２に当接することで、フロントケース１２とリアケース１４との間に形成される空間の防水性が確保されている。なお、フロントケース１２の内側にリアケース１４が嵌め込まれる場合でもよい。
【００２１】
図７は、プリント基板３０に搭載された部品を分解した分解斜視図である。図８は、図５のＡ−Ａ間の断面図である。図９は、図７で分解した部品が組み合わされた状態をＺ方向から見た図である。図７から図９のように、プリント基板３０上には、ケーブル２４などに加えて、バイブレータなどの振動源３４が搭載されている。振動源３４が搭載されることで、所定の条件を満たす場合に振動源３４によって筐体１０が震えて、ユーザに報知することができる。振動源３４は、ネジ４２、ネジ４４、及びネジ４６でプリント基板３０に固定されたカバー４０によってしっかりと固定されている。このため、振動源３４の振動は効率的に筐体１０に伝わる。
【００２２】
ケーブル２４と振動源３４とは、その間にカバー４０以外の他の部品が設けられることなく並んで配置されている。例えば、ケーブル２４と振動源３４とは、それぞれの長手方向が略同じ方向を向いて並んで配置されている。これにより、ケーブル２４と振動源３４とが並んだ方向における実装スペースを小さくすることができる。
【００２３】
カバー４０は、振動源３４が圧入された凹部５２と、ケーブル２４を覆う覆い部５０と、を有する。覆い部５０は、振動源３４とケーブル２４との間に位置する凹部５２の側壁５６から延在して設けられている。
【００２４】
カバー４０は、ケーブル２４と振動源３４とが並んだ方向と交差する方向における振動源３４の両側でネジ４２及びネジ４４によってプリント基板３０に固定されている。これにより、振動源３４をプリント基板３０にしっかりと固定できると共に、プリント基板３０の上方へのケーブル２４の動きをしっかりと抑制できる。なお、カバー４０は、ネジ４２及びネジ４４のどちらか一方によってプリント基板３０に固定されている場合でもよい。
【００２５】
カバー４０は、プリント基板３０に搭載された部品３６に対して積層実装を可能とする実装部４８を有する。実装部４８に、プリント基板及び／又はＮＦＣ用のアンテナなどの部品２２が搭載される。すなわち、部品３６と部品２２とは積層実装となっている。
【００２６】
図１０（ａ）は、カバー４０の斜視図、図１０（ｂ）は、図１０（ａ）をＸ方向から見た図である。図１０（ａ）及び図１０（ｂ）のように、ケーブル２４を覆う覆い部５０は、振動源３４が圧入される凹部５２の側壁５６から延在して設けられている。積層実装を可能とするための実装部４８は、覆い部５０を挟んで、振動源３４が圧入される凹部５２とは反対側に設けられている。実装部４８に実装される部品の下方に位置する部分には孔５４が設けられている。
【００２７】
実施例によれば、図８のように、筐体１０内に配置されたプリント基板３０（基板）上に、バッテリー２０（電池）に接続されるケーブル２４と、バイブレータなどの振動源３４と、カバー４０（固定具）と、が設けられている。カバー４０は、振動源３４をプリント基板３０に固定すると共に、ケーブル２４の少なくとも一部を覆っている。このように、振動源３４をプリント基板３０に固定するカバー４０がケーブル２４の少なくとも一部を覆うことで、ケーブル２４の動きを抑制して、ケーブル２４を所定の位置に収納させることができる。また、振動源３４をプリント基板３０に固定するカバー４０を用いてケーブル２４の動きを抑制していることから、ケーブル２４の動きを抑制する部材を別途設ける場合に比べて、省スペース化を図ることができる。すなわち、ケーブル２４の動きを抑制する部材をネジなどによって別途固定する場合に比べて、部品点数を低減することができ、省スペース化を図ることができる。また、ネジ止めなどで固定する工数の削減も図れる。
【００２８】
また、実施例によれば、図６のように、ケーブル２４は、バッテリー２０に接続される一端側のコネクタ２６が他端側のコネクタ２８よりもプリント基板３０の上方に位置するようにＵ字状に折り曲げられている。カバー４０は、ケーブル２４のＵ字状に折り曲げられた折り曲げ部６４近傍を覆い、ケーブル２４の電池に接続される一端側のコネクタ２６近傍は覆っていない。これにより、ケーブル２４の一端側のコネクタ２６がバッテリー２０に差し込まれている状態で、バッテリー２０をバッテリーカバー１８の上方に持ってくることを容易にできる。つまり、コネクタ２６がバッテリー２０に差し込まれている状態で、バッテリー２０をバッテリーカバー１８から容易に抜き差しすることができる。
【００２９】
また、実施例によれば、図８のように、ケーブル２４と振動源３４とは、その間にカバー４０以外の他の部品が設けられることなく並んで配置されている。これにより、省スペース化を図ることができる。
【００３０】
また、実施例によれば、図８のように、カバー４０は、振動源３４が圧入された凹部５２と、ケーブル２４と振動源３４との間に位置する凹部５２の側壁５６から延在してケーブル２４を覆う覆い部５０と、を有する。これにより、ケーブル２４を覆う覆い部５０が、プリント基板３０に固定される振動源３４が圧入された凹部５２の近くに設けられるため、ケーブル２４の動きを効果的に抑制できる。
【００３１】
また、実施例によれば、図７のように、カバー４０は、ケーブル２４と振動源３４とが並んだ方向と交差する方向における振動源３４の両側のうちの少なくとも一方でネジによってプリント基板３０に固定されている。これにより、振動源３４をしっかりとプリント基板３０に固定でき且つケーブル２４の動きを効果的に抑制できる。
【００３２】
また、実施例によれば、図７のように、カバー４０は、プリント基板３０上に実装された部品３６に対して部品２２が積層されて実装される実装部４８を有する。これにより、部品の積層実装を可能とするための部材を別途設ける場合に比べて、部品点数を低減することができ、省スペース化を図ることができる。
【００３３】
以上、本発明の実施例について詳述したが、本発明はかかる特定の実施例に限定されるものではなく、特許請求の範囲に記載された本発明の要旨の範囲内において、種々の変形・変更が可能である。
【符号の説明】
【００３４】
１０  筐体
１２  フロントケース
１４  リアケース
１６  シール部材
１８  バッテリーカバー
２０  バッテリー
２２  部品
２４  ケーブル
２６  コネクタ
２８  コネクタ
３０  プリント基板
３２  コネクタ
３４  振動源
３６  部品
４０  カバー
４２、４４、４６  ネジ
４８  実装部
５０  覆い部
５２  凹部
５４  孔
５６  凹部の側壁
６０  タッチパネル
６２  表示デバイス
６４  折り曲げ部
６６、６８  空間
１００  携帯端末装置
【図１】
2018077805.tif 000003
【図２】
2018077805.tif 000004
【図３】
2018077805.tif 000005
【図４】
2018077805.tif 000006
【図５】
2018077805.tif 000007
【図６】
2018077805.tif 000008
【図７】
2018077805.tif 000009
【図８】
2018077805.tif 000010
【図９】
2018077805.tif 000011
【図１０】
2018077805.tif 000012